(57)【要約】【課題】既存防水層の上に既存硬質層が存在する外部床において、容易に防水層を改修することを目的とする。【解決手段】防水層改修方法は、既存防水シートＢ１の上に下地モルタル層Ｂ３を有する外部床Ｘの防水層改修方法であって、新規防水鋼板Ａ１を、新規防水鋼板Ａ１及び新規防水鋼板Ａ１の下面に塗布された接着層Ａ１ａが外部床Ｘの周縁部の全周にわたって連続するように、ビスＡ２を併用して、ビスＡ２の先端が既存防水シートＢ１に到達しないように下地モルタル層Ｂ３に固定する工程と、新規防水鋼板Ａ１に対し、新規防水シートＡ４を外部床Ｘの周縁部に沿って連続的に接着する工程と、を有する。【選択図】図２
2015151761.tif 000002
【特許請求の範囲】
【請求項１】
既存防水層の上に既存硬質層を有する外部床の防水層改修方法であって、
防水鋼板を、前記防水鋼板及び前記防水鋼板の下面に塗布された接着層が前記外部床の周縁部の全周にわたって連続するように、ビスを併用して、前記ビスの先端が前記既存防水層に到達しないように前記既存硬質層に固定する工程と、
前記防水鋼板に対し、新規防水シートを前記外部床の周縁部に沿って連続的に接着する工程と、
を有する防水層改修方法。
【請求項２】
前記防水鋼板の上面には、前記新規防水シートと同一素材のコーティング層が設けられる、請求項１に記載の防水層改修方法。
【発明の詳細な説明】
【技術分野】
【０００１】
本発明は、既存防水層を改修する防水層改修方法に関する。
【背景技術】
【０００２】
既存防水層の上に、シンダーコンクリート（アスファルト防水層の保護のための押さえコンクリート）やタイル（下地モルタルを含む）等の既存硬質層を有する外部床がある。この外部床の既存防水層の改修工事を行う場合、これらを撤去した後、新しい防水層を施工している。
【０００３】
ここで、特許文献１には、防水層となる防水シートの上に更に防水シートを接合する技術について記載されている。
【先行技術文献】
【特許文献】
【０００４】
【特許文献１】特開２００２−８８９８４号公報
【発明の概要】
【発明が解決しようとする課題】
【０００５】
既存防水層の上に既存硬質層を有する外部床に対し、防水層の改修工事を行う場合、既存防水層や既存硬質層を撤去した後、新たな防水層を施工する必要がある。このため、工事が長期化する等の問題がある。また、特許文献１には、防水シートを敷設する技術について記載されているが、防水層の上に他の層が存在する外部床には適用できない。
【０００６】
そこで、本発明は、既存防水層の上に既存硬質層が存在する外部床において、容易に防水層を改修することができる防水層改修方法を提供することを目的とする。
【課題を解決するための手段】
【０００７】
本発明の一側面に係る防水層改修方法は、既存防水層の上に既存硬質層を有する外部床の防水層改修方法であって、防水鋼板を、防水鋼板及び防水鋼板の下面に塗布された接着層が外部床の周縁部の全周にわたって連続するように、ビスを併用して、ビスの先端が既存防水層に到達しないように既存硬質層に固定する工程と、防水鋼板に対し、新規防水シートを外部床の周縁部に沿って連続的に接着する工程と、を有する。
【０００８】
この防水層改修方法では、既存防水層の撤去を行わないため、工期が短く、容易に防水層の改修を行うことができる。既存防水層の撤去を行わないため、騒音の発生が抑制され、廃棄物が出ず、更に、建物の躯体への影響もない。
【０００９】
外部床の周縁部の全周に亘って連続するように接着層が形成されるので、新規防水シートの下側への空気の流入が防止できる。このため、新規防水シートの上面に、風による負圧（吹き上げ力）が作用しても、既存防水層及び既存硬質層の重量が反力として作用し、新規防水シートに過大な負圧が作用することを防止できる（新規防水シートが持ち上がらない）。
【００１０】
また、ビスの先端が既存防水層に到達しないように防水鋼板を固定することで、既存防水層にビスによって孔が空けられることがなく、防水性が低下することがない。
【００１１】
防水鋼板の上面には、新規防水シートと同一素材のコーティング層が設けられていてもよい。この場合には、新規防水シートを防水鋼板に接着する際に、融着或は溶着によって確実に接着することができる。
【発明の効果】
【００１２】
本発明によれば、既存防水層の上に既存硬質層が存在する外部床において、容易に防水層を改修することができる。
【図面の簡単な説明】
【００１３】
【図１】一実施形態に係る防水層改修方法によって改修された外部床を示す断面図である。
【図２】改修の様子を示す断面図である。
【発明を実施するための形態】
【００１４】
以下、本発明の一実施形態について図面を参照しながら説明する。なお、図面の説明において同一の要素には同一の符号を付し、重複する説明を省略する。
【００１５】
図１及び図２に示すように、本実施形態では、外部床Ｘに設置された既存防水構造Ｂの改修を行う。外部床Ｘは、例えば、ベランダ、外廊下、或は、陸屋根等であってもよい。改修後の既存防水構造Ｂ及び新規防水構造Ａについて説明する。まず、既存防水構造Ｂについて説明する。既存防水構造Ｂは、外部床Ｘに設けられる。外部床Ｘは、床部を構成する床パネルＣ１と、壁部を構成する立設された壁パネルＣ２とを有する。床パネルＣ１及び壁パネルＣ２として、ＡＬＣ（軽量気泡コンクリート）パネルを用いることができる。既存防水構造Ｂは、床パネルＣ１上において、壁パネルＣ２で囲まれる領域内に設けられる。既存防水構造Ｂには、既存防水構造Ｂ上の雨水を排出するための排水管等が設けられていてもよい。
【００１６】
既存防水構造Ｂは、既存防水シート（既存防水層）Ｂ１、既存保護シートＢ２、下地モルタル層（既存硬質層）Ｂ３、磁器タイル（既存硬質層）Ｂ４、及び、既存防水鋼板Ｂ５を含んで構成される。既存防水鋼板Ｂ５は、断面がＬ字形状を有し、外部床Ｘの隅角部に配置及び固定される。既存防水鋼板Ｂ５の上端は、壁パネルＣ２側に向けて屈曲しており、壁パネルＣ２に設けられた溝部Ｃ２ａに差し込まれる。
【００１７】
既存防水シートＢ１は、床パネルＣ１上に敷設され、周縁部が既存防水鋼板Ｂ５に対して溶着されている。既存防水シートＢ１として、例えば、塩化ビニル樹脂を主成分とする高分子防水シートを用いることができる。
【００１８】
既存防水シートＢ１上には、既存保護シートＢ２が重ねて敷設される。既存保護シートＢ２として、発砲ポリエチレンシートを用いることができる。既存保護シートＢ２上には、下地モルタル層Ｂ３が設置される。下地モルタル層Ｂ３は、ラス網を含んでいてもよい。下地モルタル層Ｂ３上には、磁器タイルＢ４が設置される。磁器タイルＢ４は、目地モルタル等によって、下地モルタル層Ｂ３に固定されている。
【００１９】
次に、新規防水構造Ａについて説明する。新規防水構造Ａは、新規防水鋼板（防水鋼板）Ａ１、ビスＡ２、新規保護シートＡ３、及び、新規防水シートＡ４を含んで構成される。新規防水鋼板Ａ１は、断面Ｌ字形状を有する。新規防水鋼板Ａ１は、断面Ｌ字形状の角部が既存防水構造Ｂの隅角部に対向するように配置される。新規防水鋼板Ａ１の下面には、シール性の高い接着剤（粘着剤）が塗布され、接着層Ａ１ａが形成される。接着層Ａ１ａは、新規防水鋼板Ａ１の下面に連続的に（全面にわたって）塗布される。
【００２０】
新規防水鋼板Ａ１における断面Ｌ字形状の閉じ側の面（上面）には、新規防水シートＡ４と同一素材のコーティング層Ａ１ｂが設けられる。コーティング層Ａ１ｂの上端は、新規防水鋼板Ａ１の上端よりも張り出している。コーティング層Ａ１ｂの上端の張り出し部分は、壁パネルＣ２の溝部Ｃ２ａ内に差し込まれる。
【００２１】
新規防水鋼板Ａ１は、既存防水構造Ｂの周縁隅角部（周縁部）の全周にわたって連続するように設置される。これにより、既存防水構造Ｂの周縁隅角部の全周にわたって接着層Ａ１ａ及びコーティング層Ａ１ｂが連続する状態となる。新規防水鋼板Ａ１は、本固定用の接着層Ａ１ａによって磁器タイルＢ４の上面に接着（本固定）される。なお、新規防水鋼板Ａ１は、仮固定用のビスＡ２を併用して既存防水構造Ｂに仮固定される。ビスＡ２は、新規防水鋼板Ａ１を貫通して既存防水構造Ｂに差し込まれたときに、ビスＡ２の先端が既存防水シートＢ１に到達しない長さとなっている。
【００２２】
既存防水構造Ｂ上には、新規保護シートＡ３が敷設される。新規保護シートＡ３は、既存防水構造Ｂの上面の凹凸によって新規防水シートＡ４に傷がつかないように、凹凸を吸収して新規防水シートＡ４を保護する。
【００２３】
新規防水シートＡ４は、新規保護シートＡ３上に敷設される。新規防水シートＡ４の周縁部は、新規防水鋼板Ａ１に対し、周縁部に沿って連続して融着或は溶着される。即ち、新規防水鋼板Ａ１の内側と外側との間で空気の流通がないように、新規防水シートＡ４が新規防水鋼板Ａ１に接着される。
【００２４】
溝部Ｃ２ａにはシーリング材Ｃ３が充填される。シーリング材Ｃ３は、溝部Ｃ２ａ内に差し込まれた既存防水鋼板Ｂ５の上端及びコーティング層Ａ１ｂの上端が溝部Ｃ２ａから脱落しないように押さえる機能を有する。
【００２５】
次に、外部床Ｘに既存防水構造Ｂが設置された状態で、既存防水構造Ｂの改修のために新規防水構造Ａを設置する防水層改修方法の手順について説明する。図２に示すように、作業者は、溝部Ｃ２ａに充填されていた既存のシーリング材を除去する。この既存のシーリング材は、既存防水鋼板Ｂ５の上端を押さえていたものである。
【００２６】
次に、作業者は、既存防水構造Ｂの周縁隅角部の全周にわたって連続するように、新規防水鋼板Ａ１を配置し、接着層Ａ１ａによって新規防水鋼板Ａ１を磁器タイルＢ４に接着する。新規防水鋼板Ａ１の設置後、作業者は、ビスＡ２によって新規防水鋼板Ａ１を既存防水構造Ｂに仮固定する（新規防水鋼板Ａ１を下地モルタル層Ｂ３に固定する工程）。
【００２７】
新規防水鋼板Ａ１の固定後、作業者は、コーティング層Ａ１ｂの上端を溝部Ｃ２ａ内に差し込み、溝部Ｃ２ａにシーリング材Ｃ３を充填する。なお、シーリング材Ｃ３の充填は、新規防水シートＡ４の敷設後であってもよい。
【００２８】
次に、作業者は、既存防水構造Ｂ上に新規保護シートＡ３を敷設し、更に新規保護シートＡ３上に新規防水シートＡ４を敷設する。そして、作業者は、新規防水シートＡ４を新規防水鋼板Ａ１に対して連続的に接着する（新規防水シートＡ４を連続的に接着する工程）。
【００２９】
本実施形態は以上のように構成され、既存防水構造Ｂの上に新規防水構造Ａを設ける方法では、既存防水構造Ｂの撤去を行わないため、工期が短く、容易に改修を行うことができる。既存防水構造Ｂの撤去を行わないため、騒音の発生が抑制され、廃棄物が出ず、更に、建物の躯体への影響もない。
【００３０】
外部床Ｘ（既存防水構造Ｂ）の周縁部の全周に亘って連続する接着層Ａ１ａが形成され、更に、新規防水シートＡ４の周縁部が連続的に新規防水鋼板Ａ１に接着されるので、新規防水シートＡ４の下側への空気の流入が防止できる。このため、新規防水シートＡ４の上面に、風による負圧（吹き上げ力）が作用しても、既存防水構造Ｂの重量が反力として作用し、新規防水シートＡ４に過大な負圧が作用することを防止できる（新規防水シートＡ４が持ち上がらない）。
【００３１】
また、ビスＡ２の先端が既存防水シートＢ１に到達しないように新規防水鋼板Ａ１を固定することで、既存防水シートＢ１にビスＡ２によって孔が空けられることがなく、防水性が低下することがない。
【００３２】
新規防水鋼板Ａ１の上面には、新規防水シートＡ４と同一素材のコーティング層Ａ１ｂが設けられているので、新規防水シートＡ４を新規防水鋼板Ａ１に接着する際に、融着或は溶着によって確実に接着することができる。
【００３３】
以上、本発明の一実施形態について説明したが、本発明は、上記実施形態に限定されるものではない。例えば、既存防水構造Ｂに設けられる防水層として既存防水シートＢ１を例に説明したが、既存防水シートＢ１に限らず、アスファルト防水層等、他の防水層であってもよい。既存防水構造Ｂに設けられる硬質層として下地モルタル層Ｂ３を例に説明したが、モルタルに限定されず、アスファルト防水層の押さえコンクリート（シンダーコンクリート）であってもよい。
【００３４】
壁パネルＣ２に設けられた溝部Ｃ２ａ内に、既存防水鋼板Ｂ５の上端部と共にコーティング層Ａ１ｂの上端部を差し込むものとしたが、壁パネルＣ２に新たに溝部を設け、既存防水鋼板Ｂ５の上端部とコーティング層Ａ１ｂの上端部とをそれぞれ別々の溝部に差し込むこともできる。この場合、改修工事の際に溝部Ｃ２ａからシーリング材を取り除く必要が無く、壁パネルＣ２に溝部を形成するだけで良いので、改修工事が容易となる。
【符号の説明】
【００３５】
Ａ１…新規防水鋼板（防水鋼板）、Ａ１ａ…接着層、Ａ１ｂ…コーティング層、Ａ２…ビス、Ａ４…新規防水シート、Ｂ１…既存防水シート（既存防水層）、Ｂ３…下地モルタル層（既存硬質層）、Ｂ４…磁器タイル（既存硬質層）、Ｘ…外部床。
【図１】
2015151761.tif 000003
【図２】
2015151761.tif 000004